(57)【要約】本発明は、携帯電子機器とともに使用するためのメディア・ロケーション・ランカを提供する。ある実施形態では、メディア・ロケーション・ランカは、複数のメディアファイルのメディアランキングを提供するように構成されたメディアランキングユニットを含む。メディア・ロケーション・ランカは、メディアランキングユニットに結合され、メディアランキングを携帯電子機器のロケーションに関係付けることに基づいてメディア・ロケーション・ランキングを生成するように構成されたロケーション関係付けユニットも含む。また、メディア・ロケーション・ランカは、ロケーション関係付けユニットに結合され、再生ロケーションに基づく再生上の考慮点についてメディア・ロケーション・ランキングからメディアファイルを選択するように構成されたメディア再生ユニットをさらに含む。メディア・ロケーション・ランカは、メディア再生ユニットに結合され、再生ロケーションでのメディアファイルの再生優先順位に基づいてメディア・ロケーション・ランキングを更新するように構成されたランキング更新ユニットをさらに含む。
2010505291.tif 000002
【特許請求の範囲】
【請求項１】
携帯電子機器とともに使用するためのメディア・ロケーション・ランカであって、
複数のメディアファイルのメディアランキングを提供するように構成されたメディアランキングユニット、及び
前記メディアランキングユニットに結合され、前記メディアランキングを前記携帯電子機器のロケーションに関係付けることに基づいてメディア・ロケーション・ランキングを生成するように構成されたロケーション関係付けユニット
からなるランカ。
【請求項２】
請求項１記載のランカであって、さらに、前記ロケーション関係付けユニットに結合され、再生ロケーションに基づく再生上の考慮点について前記メディア・ロケーション・ランキングからメディアファイルを選択するように構成されたメディア再生ユニットを備えたランカ。
【請求項３】
前記メディアファイルの選択が自動で実現される請求項２記載のランカ。
【請求項４】
請求項２記載のランカであって、さらに、前記メディア再生ユニットに結合され、前記再生ロケーションでのメディアファイルの再生優先順位に基づいて前記メディア・ロケーション・ランキングを更新するように構成されたランキング更新ユニットを備えたランカ。
【請求項５】
前記メディア・ロケーション・ランキングの更新は自動で実現される請求項４記載のランカ。
【請求項６】
前記携帯電子機器が、移動体通信ネットワークに結合された携帯通信機器である請求項１記載のランカ。
【請求項７】
前記ロケーションが前記移動体通信ネットワーク内のセルＩＤに基づいている請求項６記載のランカ。
【請求項８】
前記ロケーションが、前記セルＩＤに対応するルックアップテーブルによって決定される請求項７記載のランカ。
【請求項９】
前記ロケーションがグローバル測位システム（ＧＰＳ）によって決定される請求項１記載のランカ。
【請求項１０】
前記ロケーションが地理的ロケーションとして提供される請求項１記載のランカ。
【請求項１１】
前記地理的ロケーションが、類似する環境上の特徴を有するゾーンの組の１つに対応する請求項１０記載のランカ。
【請求項１２】
携帯電子機器とともに使用するためのロケーションベースのメディアランキングを生成する方法であって、
複数のメディアファイルのメディアランキングを提供するステップ、及び
前記メディアランキングを前記携帯電子機器のロケーションに関係付けることに基づいてメディア・ロケーション・ランキングを生成するステップ
からなる方法。
【請求項１３】
請求項１２記載の方法であって、さらに、再生ロケーションに基づく再生上の考慮点について前記メディア・ロケーション・ランキングからメディアファイルを選択するステップからなる方法。
【請求項１４】
前記メディアファイルの選択が自動で実現される請求項１３記載の方法。
【請求項１５】
請求項１２記載の方法であって、さらに、前記再生ロケーションでのメディアファイルの再生優先順位に基づいて前記メディア・ロケーション・ランキングを更新するステップからなる方法。
【請求項１６】
前記メディア・ロケーション・ランキングの更新が自動で実現される請求項１５記載の方法。
【請求項１７】
前記携帯電子機器が、移動体通信ネットワークに結合された携帯通信機器である請求項１２記載の方法。
【請求項１８】
前記ロケーションが前記移動体通信ネットワーク内のセルＩＤに基づいている請求項１７記載の方法。
【請求項１９】
前記ロケーションが、前記セルＩＤに対応するルックアップテーブルによって決定される請求項１８記載の方法。
【請求項２０】
前記ロケーションがグローバル測位システム（ＧＰＳ）によって決定される請求項１２記載の方法。
【請求項２１】
前記ロケーションが地理的ロケーションとして提供される請求項１２記載の方法。
【請求項２２】
前記地理的ロケーションが、類似する環境上の特徴を有するゾーンの組の１つに対応する請求項２１記載の方法。
【請求項２３】
通信システムであって、
セルラーグリッドを使用する移動体通信ネットワーク、
前記セルラーグリッドに結合された携帯通信機器、及び
前記携帯通信機器に結合されたメディア・ロケーション・ランカ
からなり、該ランカが、
複数のメディアファイルのメディアランキングを提供するメディアランキングユニット、
前記メディアランキングユニットに結合され、前記メディアランキングを前記携帯電子機器のロケーションに関係付けることに基づいてメディア・ロケーション・ランキングを生成するロケーション関係付けユニット、
前記ロケーション関係付けユニットに結合され、再生ロケーションに基づく再生上の考慮点について前記メディア・ロケーション・ランキングからメディアファイルを選択するメディア再生ユニット、及び
前記メディア再生ユニットに結合され、前記再生ロケーションでのメディアファイルの再生優先順位に基づいて前記メディア・ロケーション・ランキングを更新するランキング更新ユニット
を含む通信システム。
【請求項２４】
前記ロケーションが前記移動体通信ネットワーク内のセルＩＤに基づいている請求項２３記載のシステム。
【請求項２５】
前記ロケーションが前記セルＩＤに対応するルックアップテーブルによって決定される請求項２４記載のシステム。
【請求項２６】
前記移動体通信ネットワークが、グローバル・システム・フォー・モバイル・コミュニケーションズ／ユニバーサル・モバイル・テレコミュニケーション・システム（ＧＭＳ／ＵＭＴＳ）規格に準拠する請求項２３記載のシステム。
【請求項２７】
グローバル測位システム（ＧＰＳ）であって、
衛星測位ネットワーク、
前記衛星測位ネットワークに結合された携帯電子機器、及び
前記携帯電子機器に結合されたメディア・ロケーション・ランカ
からなり、該ランカが、
複数のメディアファイルのメディアランキングを提供するメディアランキングユニット、
前記メディアランキングユニットに結合され、前記メディアランキングを前記携帯電子機器のロケーションに関係付けることに基づいてメディア・ロケーション・ランキングを生成するロケーション関係付けユニット、
前記ロケーション関係付けユニットに結合され、再生ロケーションに基づく再生上の考慮点について前記メディア・ロケーション・ランキングからメディアファイルを選択するメディア再生ユニット、及び
前記メディア再生ユニットに結合され、前記再生ロケーションでのメディアファイルの再生優先順位に基づいて前記メディア・ロケーション・ランキングを更新するランキング更新ユニット
を含むグローバル測位システム（ＧＰＳ）。
【請求項２８】
前記ロケーションが地理的ロケーションとして提供される請求項２７記載のシステム。
【請求項２９】
前記地理的ロケーションが、類似する環境上の特徴を有するゾーンの組の１つに対応する請求項２８記載のシステム。
【発明の詳細な説明】
【技術分野】
【０００１】
本発明は、一般には携帯電子機器を対象とし、より具体的には、メディア・ロケーション・ランカ、ロケーションベースのメディアランキングを生成する方法、並びにそのランカ及びその方法を使用する通信及び測位システムを対象とする。
【背景技術】
【０００２】
携帯電話などの携帯電子機器及び携帯通信機器は、ユーザー間の通信だけでなく、より多くの機能を備えるためにますます使用されている。多くは、しばらく前まで想像でしかなかった機能を有するポータブル・エンターテインメント・センタとなっている。たとえば、現在入手可能な携帯電話により、最新のニュース、天気、スポーツ、及びエンターテインメント・ビデオを視聴でき、また最先端の３Ｄゲームをプレイできる。ビデオ・オン・デマンドやオーディオ・オン・デマンドなどの機能は、ビデオクリップ及びオーディオクリップの再生を可能にする。動画及び音楽のファンは、鮮明さ及び明瞭さの両方を有するコンテンツを、自分の携帯電話にダウンロードできる。これらの機能により、ユーザーは、携帯機器に関連付けられたメディアプレーヤを介して、自分の個人的なメディア体験を豊かにすることができる。
【０００３】
携帯電話ユーザーのこの個人化されたメディア体験の改善は、オーディオコンテンツ及びビデオコンテンツのランキングがお気に入り再生リストを生成するのに使用される、アプリケーションを実現してきた。お気に入り再生リストは、メディアコンテンツの集合（たとえば、１群の録音された曲）の生成されたランキングである。既存の再生リスト・システムは、コンテンツの再生時間を記録し、この情報をメディアファイルのメタデータに格納することができる。アクセス数は、メディアファイルのメタデータに格納され、お気に入り再生リストを生成するために抽出される。一般に、各選択のアクセス時間又は最近のアクセスのアクセス時間は、情報がメディアのランキングを生成するのに使用される、メタデータに格納される。これらのシステムは、この情報を、たとえばファイルのメタデータが、そのファイルが再生されたことを示す一定の時刻に、コンテンツファイルにより高い又はより低い評価を付与するのにも使用可能である。しかし、既存のお気に入り再生リストは、メディアプレーヤが、その概ねのロケーション又はおそらくその地理的ロケーションさえ認識している、携帯電話などの機器に存在しうることを考慮に入れていない。
【０００４】
したがって、当技術分野に必要なのは、改善されたメディア体験を可能にするメディア選択を、携帯電話ユーザーと相互に関連させる方法である。
【発明の概要】
【課題を解決するための手段】
【０００５】
前述の従来技術の欠陥に対処するために、本発明は、携帯電子機器とともに使用するためのメディア・ロケーション・ランカを提供する。ある実施形態では、メディア・ロケーション・ランカは、複数のメディアファイルのメディアランキングを提供するように構成されたメディアランキングユニットを含む。メディア・ロケーション・ランカは、メディアランキングユニットに結合され、メディアランキングを携帯電子機器のロケーションに関係付けることに基づいてメディア・ロケーション・ランキングを生成するように構成されたロケーション関係付けユニットも含む。また、メディア・ロケーション・ランカは、ロケーション関係付けユニットに結合され、再生ロケーションに基づく再生上の考慮点についてメディア・ロケーション・ランキングからメディアファイルを選択するように構成されたメディア再生ユニットをさらに含む。メディア・ロケーション・ランカは、メディア再生ユニットに結合され、再生ロケーションでのメディアファイルの再生優先順位に基づいてメディア・ロケーション・ランキングを更新するように構成されたランキング更新ユニットをさらに含む。
【０００６】
別の態様では、本発明は、携帯電子機器とともに使用するためのロケーションベースのメディアランキングを生成する方法を提供する。この方法は、複数のメディアファイルのメディアランキングを提供することと、メディアランキングを携帯電子機器のロケーションに関係付けることに基づいてメディア・ロケーション・ランキングを生成することとを含む。さらに、この方法はまた、再生ロケーションに基づく再生上の考慮点についてメディア・ロケーション・ランキングからメディアファイルを選択することと、再生ロケーションでのメディアファイルの再生優先順位に基づいてメディア・ロケーション・ランキングを更新することとを含む。
【０００７】
本発明は、さらに別の態様において、通信システムも提供する。この通信システムは、セルラーグリッドを使用する移動体通信ネットワークと、セルラーグリッドに結合された携帯通信機器とを含み、その携帯通信機器は、メディア・ロケーション・ランカを含む。メディア・ロケーション・ランカは、複数のメディアファイルのメディアランキングを提供するメディアランキングユニットと、メディアランキングを携帯電子機器のロケーションに関係付けることに基づいてメディア・ロケーション・ランキングを生成するロケーション関係付けユニットとを有する。さらに、メディア・ロケーション・ランカはまた、再生ロケーションに基づく再生上の考慮点についてメディア・ロケーション・ランキングからメディアファイルを選択するメディア再生ユニットと、再生ロケーションでのメディアファイルの再生優先順位に基づいてメディア・ロケーション・ランキングを更新するランキング更新ユニットとを有する。
【０００８】
本発明はまた、さらに別の態様において、グローバル測位システム（ＧＰＳ）を提供する。このＧＰＳは、衛星測位ネットワークと、衛星測位ネットワークに結合された携帯電子機器とを含み、その携帯電子機器は、メディア・ロケーション・ランカを含む。メディア・ロケーション・ランカは、複数のメディアファイルのメディアランキングを提供するメディアランキングユニットと、メディアランキングを携帯電子機器のロケーションに関係付けることに基づいてメディア・ロケーション・ランキングを生成するロケーション関係付けユニットとを有する。さらに、メディア・ロケーション・ランカはまた、再生ロケーションに基づく再生上の考慮点についてメディア・ロケーション・ランキングからメディアファイルを選択するメディア再生ユニットと、再生ロケーションでのメディアファイルの再生優先順位に基づいてメディア・ロケーション・ランキングを更新するランキング更新ユニットとを有する。
【０００９】
ここまでは、当業者が、下記の本発明の詳細な説明をよりよく理解できるように、本発明の好ましい特徴及び代替の特徴の概略を述べた。本発明の特許請求の範囲の主題を形成する、本発明の追加の特徴を下記で述べる。当業者は、本発明と同じ目的を実行するために、他の構造を設計又は改変するベースとして、開示された概念及び特有の実施形態を容易に使用できることを理解するはずである。当業者はまた、そのような等価の構造が、本発明の精神及び範囲から逸脱しないことも理解するはずである。
【００１０】
本発明をより完全に理解するために、添付の図面に関連してなされる下記の説明をここで参照する。
【図面の簡単な説明】
【００１１】
【図１】本発明の原理に従って構成された通信システムの実施形態のシステム概略図である。
【図２】本発明の原理に従って構成されたグローバル測位システム（ＧＰＳ）の実施形態のシステム概略図である。
【図３】本発明の原理に従って実行される、ロケーションベースのメディアランキングを生成する方法の実施形態の流れ図である。
【発明を実施するための形態】
【００１２】
本発明の実施形態は、それ自体のロケーションを認識し、メディアプレーヤを使用する携帯電子機器のユーザーに、改善されたメディア体験を提供する。メディアファイルは、オーディオファイル又はビデオファイルとして提供されうる。メディアファイルは、通常、たとえばＭＰ３、ＭＰＥＧ、ＷＭＡ、又はＡＶＩであるが、それだけに限らない、定義されたデータ形式又はファイル構造を使用する。説明するある実施形態では、携帯電子機器は、メディアプレーヤを使用する携帯電話などの、通信システム内の携帯通信機器として使用される。代替実施形態では、携帯電子機器は、グローバル測位システム（ＧＰＳ）で使用され、たとえば、メディアプレーヤを有するラップトップ・コンピュータ、ＰＤＡ、又は携帯電話、並びに独立したメディアプレーヤでもよく、これらはすべてＧＰＳ機能を有する。
【００１３】
まず図１を参照すると、本発明の原理に従って構成され、全体として符号１００を付した、通信システムの実施形態のシステム概略図が示されている。通信システム１００は、移動体通信ネットワーク１１０に結合された複数の通信セルＣ１〜Ｃ５を有するセルラーグリッド１０５を含む。通信システム１００は、図示した実施形態の携帯電話１２０である、携帯通信機器も含む。本発明のある実施形態では、通信システム１００は、グローバル・システム・フォー・モバイル・コミュニケーションズ／ユニバーサル・モバイル・テレコミュニケーション・システム（ＧＳＭ／ＵＭＴＳ）規格に準拠する。
【００１４】
複数の通信セルＣ１〜Ｃ５のそれぞれは、ＧＳＭマスト（伝送アンテナ）を使用する。各ＧＳＭマストは、セルＩＤに関連付けられる。その付随するロケーションと一緒に、これらのセルＩＤをセルＩＤデータベースに収集することにより、その伝送用のＧＳＭマストを使用する、セル内に位置する携帯電話の近似の又は地理的ロケーションを識別できる。通信システム１００では、セルＩＤデータベースは、携帯電話１２０に含まれることができ、また代替として、セルＩＤデータベースは、ネットワーク・サーバーで保持され、定期的に又は携帯電話１２０からの要求に応じて携帯電話に提供されることもできる。セルＩＤデータベースは、公的又は私的に利用可能である。
【００１５】
ＧＳＭ又はＵＭＴＳ規格を使用する携帯電話１２０のロケーションの精度は、一般に各通信セルＣ１〜Ｃ５の寸法又はサイズによって決定される。携帯電話１２０は、通信セルＣ１に位置していることを認識する。携帯電話１２０は、隣接する通信セルＣ２、Ｃ３、Ｃ４、又はＣ５内のＧＳＭマストから発生する信号を受信することもできる。したがって、この接続情報を通信セルＣ１内の携帯電話１２０のより正確なロケーションを決定又は計算するのに使用可能である。
【００１６】
図示した実施形態では、携帯電話１２０は、それに機能的に結合されたメディア・ロケーション・ランカ１２５を含む。メディア・ロケーション・ランカ１２５は、複数のメディアファイルのメディアランキングを提供するメディアランキングユニット１２６、及びメディアランキングユニット１２６に結合され、メディアランキングを携帯電話１２０のロケーションに関係付けることに基づいてメディア・ロケーション・ランキングを生成する、ロケーション関係付けユニット１２７を含む。メディア・ロケーション・ランカ１２５は、ロケーション関係付けユニット１２７に結合され、再生ロケーションに基づく再生上の考慮点についてメディア・ロケーション・ランキングからメディアファイルを選択する、メディア再生ユニット１２８も含む。メディア・ロケーション・ランカ１２５は、メディア再生ユニット１２８に結合され、再生ロケーションでのメディアファイルの再生優先順位に基づいてメディア・ロケーション・ランキングを更新する、ランキング更新ユニット１２９をさらに含む。
【００１７】
図２を参照すると、本発明の原理に従って構成され、全体として符号２００を付した、グローバル測位システム（ＧＰＳ）の実施形態のシステム概略図が示されている。図示した実施形態では、ＧＰＳ２００は、測位衛星２１０ａ、２１０ｂ、２１０ｃを使用する衛星測位ネットワーク、及び測位衛星２１０ａ、２１０ｂ、２１０ｃに結合されたＧＰＳ機能を有する携帯電話２２０である携帯電子機器を含む。本発明の実施形態は、類似する環境上の特徴を有する地理的ロケーションに対応する第１及び第２のゾーンの組２１５ａ、２１５ｂ及び２１６ａ、２１６ｂを使用する。
【００１８】
第１及び第２のゾーンの組２１５ａ、２１５ｂ及び２１６ａ、２１６ｂのそれぞれは、たとえば、公園、スーパーマーケット、ショッピング・モール、又は教会の集合に対応しうる。図１に対して説明したように、これらの各ゾーンは、通常、通信システム内のセルＩＤを使用して実現可能なロケーションよりも明確な又は正確なロケーションを提供する。メディア・ロケーション・ランキングが、たとえばゾーン２１５ａなどの１つのゾーンについて確立される場合、そのランキングはゾーン２１５ｂに適用しうる。また、一定のメディアコンテンツの異なるゾーンでの再生を制限するメディア・ロケーション・ランキングを確立可能であり、それによりゾーン間の逆の又は負のメディアコンテンツのランキングに対応する。
【００１９】
図１の携帯通信機器（すなわち、携帯電話１２０）に提供されるように、携帯電話２２０は、メディア・ロケーション・ランカ２２５を含む。図示した実施形態では、メディア・ロケーション・ランカ２２５は、各ユニットが、メディア・ロケーション・ランカ１２５について示した機能と同じ基本機能を実行する、メディアランキングユニット２２６、ロケーション関係付けユニット２２７、メディア再生ユニット２２８、及びランキング更新ユニット２２９を有する。
【００２０】
ここで、一般に移動通信システム１００又はＧＰＳ２００とともに使用可能な、様々な実施形態を説明する。メディアランキングユニット１２６、２２６は、表１に例を示す、お気に入り再生リストを提供する。お気に入り再生リストは、メディア（たとえば、この例では曲タイトル）をアクセス数の降順で編成する。
【００２１】
【表１】
2010505291.tif 000003
【００２２】
表１は、曲タイトルＡが合計１７回アクセスされ、したがって示されている曲タイトルの最高のメディアランキング（メディアランキング１）であることを示す。ある実施形態では、メディアランキングは、ユーザーが一定の曲を一定のランキング位置に割り当てる手動選択プロセスで、ユーザーによって実行されうる。これは、手動ランキング・プロセスに対応し、ランキングの初期化を構成しうる。代替として、このお気に入り再生リストは、最初に外部ソースからダウンロード可能である。
【００２３】
表２に、アクセス数の合計がロケーションＬ１、Ｌ２及びＬ３について表されている、表１のお気に入り再生リストの拡張版を示す。
【００２４】
【表２】
2010505291.tif 000004
【００２５】
ロケーション関係付けユニット１２７、２２７は、この情報を使用して、ロケーションについてのメディア・ロケーション・ランキングを生成する。表３に、ロケーションＬ１についてのメディア・ロケーション・ランキングを示す。
【００２６】
【表３】
2010505291.tif 000005
【００２７】
曲タイトルＣは、ロケーションＬ１について最高のアクセス数９を有することがわかる。ロケーションＬ２についてのメディア・ロケーション・ランキングは、最高のアクセス数７を有する曲として曲タイトルＡを表示し、ロケーションＬ３についてのメディア・ロケーション・ランキングは、最高のアクセス数５を有する曲として曲タイトルＤを表示するはずである。明らかに、ロケーションＬ２及びＬ３よりも多くの曲タイトルがロケーションＬ１で再生されている。代替実施形態では、メディア・ロケーション・ランキングは、時刻又は曜日を含むようにさらに表しうる。
【００２８】
メディアファイルが再生中に手動で選択される実施形態では、メディア再生ユニット１２８、２２８は、たとえば、ロケーションＬ１での再生上の考慮点について、曲タイトルＣ、Ａ、Ｂ、Ｆ、Ｄ、Ｅの順序を選択及び提示する。メディアファイルが自動で選択される場合、曲タイトルＣが再生を開始する、ロケーションＬ１の曲順と同じ曲順が提示されることになる。代替実施形態では、メディア再生ユニット１２８、２２８は、特定の再生ロケーションに対応して再生音量を調節しうる。たとえば、ユーザーが、周知の背景雑音の高い地域にいる場合、再生音量を上げることができる。同様に、再生ロケーションが公園又はスーパーマーケットに対応する場合は、再生音量を下げることができる。
【００２９】
ランキング更新ユニット１２９、２２９は、再生ロケーションについてメディア・ロケーション・ランキングの動的な更新を可能にする。この更新は、ユーザーのコマンドで行われうる。代替として、更新は、曲の終わりに自動で実行することもでき、あるいは記憶しておいて、携帯電話１２０又は２２０が電源が切られるときに、又は異なる再生ロケーションに移行して別のメディア・ロケーション・ランキングが必要となったときに更新することもできる。メディア・ロケーション・ランキングの自動更新は、ユーザーの優先順位に関連した習慣の効果的な監視を可能にする。この監視は、ユーザーによって体験される各メディアファイルへの、アクセスカウント又はアクセス期間を含みうる。
【００３０】
たとえば、ユーザーが曲を完全に聞いた場合、その曲の評価は上昇する。代わりに、ユーザーが曲をスキップした、又は閾値設定を下回る時間（たとえば、数秒のみ）聞いた場合、その曲の評価は下降する。また、ユーザーが、ある曲タイトルを公園では完全に聞いたが、市街地ではスキップした場合、その曲タイトルは市街地でより低いランキングを獲得し、公園ではより高いランキングを獲得する。メディア・ロケーション・ランキングは、アクセスされていない、又は常に一定の期間についてスキップされる、メディアファイルの削除にも使用可能である。しかし、ランキング更新ユニット１２９、２２９は、最近アクセスされていなくても、又はユーザーによってスキップされても、曲タイトルが事前設定優先レベルを保持している、メディア優先順位を有するメディア・ロケーション・ランキングを格納可能である。
【００３１】
メディア・ロケーション・ランカ１２５、２２５は、ユーザーの集合の中の特定のユーザーに関連する個人化されたメディア・ロケーション・ランキングを提供することもできる。認証又はログイン・プロセスは、特定の各ユーザーを識別するのに使用可能である。また、メディア・ロケーション・ランカ１２５、２２５は、既存のハードウェア・プラットフォーム上のソフトウェアに完全に実装することも、ソフトウェア及び専用ハードウェアの組合せを使用することも、また専用ハードウェアを完全に使用することもできる。たとえば、メディア・ロケーション・ランカ１２５、２２５は、携帯電話１２０、２２０に挿入されたデジタル記憶メディア又は半導体チップを使用可能である。
【００３２】
図３を参照すると、全体として符号３００を付した、本発明の原理に従って実行される、ロケーションベースのメディアランキングを生成する方法の実施形態の流れ図が示されている。方法３００は、物理ロケーション認識機能を有する携帯電子機器とともに使用し、ステップ３０５で開始する。次に、複数のメディアファイルのメディアランキングがステップ３１０で提供される。メディアランキングは、お気に入り再生リストを提供する。携帯電子機器のロケーションへのメディアランキングの関係付けに基づくメディア・ロケーション・ランキングが、ステップ３１５で生成される。
【００３３】
ある実施形態では、携帯電子機器は、移動体通信ネットワークに結合された携帯通信機器である。携帯通信機器のロケーションは、携帯通信機器をサポートする移動体通信ネットワーク内の通信セルのセルＩＤによって決定されうる。また、セルＩＤに対応するルックアップテーブルは、携帯通信機器のロケーションを決定するのに使用可能である。代替実施形態では、ロケーションは、携帯電子機器がロケーションをより特有の地理的ロケーションに解決できる、グローバル測位システム（ＧＰＳ）によって決定される。また、地理的ロケーションは、たとえば、公園、ショッピング・モール、スーパーマーケット、又は教会などの、類似する環境上の特徴を有するゾーンの組の１つに対応しうる。
【００３４】
図に示した実施形態では、ステップ３２０で、メディア・ロケーション・ランキングの少なくとも１つのメディアファイルが、再生ロケーションに基づく再生上の考慮点について選択される。ステップ３２０でのメディアファイルの選択は、ユーザーによって手動で実現可能であり、また再生ロケーションに応じて自動で提供可能である。ステップ３２５では、ステップ３１５で生成されたメディア・ロケーション・ランキングが、再生ロケーションで選択されたメディアファイルについて明示された再生優先順位に基づいて更新されうる。やはり、この更新は、ユーザーによって手動で実現可能であり、またメディア・ロケーション・ランキングについての１組の更新規則及び確立された優先順位に基づいて、自動で実現可能である。方法３００は、ステップ３３０で終了する。
【００３５】
本明細書で開示される方法を、特定の順序で実行される特定のステップを参照して説明したが、これらのステップは、本発明の教示から逸脱することなく、結合され、分割され、又は並べ替えられて、等価の方法を形成しうることが理解されよう。したがって、本明細書で具体的に示していない限り、ステップの順序又はグループ化は、本発明の制限ではない。
【００３６】
要約すると、メディア・ロケーション・ランカを使用する本発明の実施形態、ロケーションベースのメディアランキングを生成する方法、並びにそのランカ又はその方法を使用する通信及びグローバル測位システムを提示した。利点には、ユーザーによって使用される携帯電子機器のロケーションに対応する、メディアについてのメディア・ロケーション・ランキングの提供が含まれる。これは、メディアをロケーション特有にすることを可能にし、したがってユーザーにもたらされるメディア体験及び楽しさを改善する。
【００３７】
本発明を詳細に説明したが、当業者は、最も広範な形態での本発明の精神及び範囲から逸脱することなく、本発明に様々な変更、置換、及び修正をなしうることを理解するはずである。
【図１】
2010505291.tif 000006
【図２】
2010505291.tif 000007
【図３】
2010505291.tif 000008
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
携帯電子機器であって、
前記携帯電子機器に格納された複数のメディアファイルのメディアランキングを提供するメディアランキングユニット、
前記メディアランキングを前記携帯電子機器のロケーションに関係付けることに基づいて、前記携帯電子機器に格納された前記複数のメディアファイルのメディア・ロケーション・ランキングを生成する前記メディアランキングユニットに連結されたロケーション関係付けユニット、及び
再生ロケーションに基づく再生上の考慮点について前記メディア・ロケーション・ランキングからメディアファイルを選択する前記ロケーション関係付けユニットに連結されたメディア再生ユニット
を含むメディア・ロケーション・ランカ
からなる携帯電子機器。
【請求項２】
請求項１記載の携帯電子機器において、前記メディア再生ユニットが前記メディアファイルを自動で選択する携帯電子機器。
【請求項３】
請求項１記載の携帯電子機器であって、さらに、前記メディア再生ユニットに連結され前記再生ロケーションでのメディアファイルの再生優先順位に基づいて前記メディア・ロケーション・ランキングを更新するランキング更新ユニットを備えた携帯電子機器。
【請求項４】
請求項３記載の携帯電子機器において、前記ランキング更新ユニットが前記メディア・ロケーション・ランキングを自動で更新する携帯電子機器。
【請求項５】
請求項１記載の携帯電子機器において、前記携帯電子機器が移動通信ネットワークに連結された携帯通信機器である携帯電子機器であり、前記ロケーションが前記移動通信ネットワーク内のセルＩＤに基づいている携帯電子機器。
【請求項６】
請求項１記載の携帯電子機器において、前記ロケーションがグローバル測位システム（ＧＰＳ）によって特定される携帯電子機器。
【請求項７】
請求項１記載の携帯電子機器において、前記ロケーションが、類似する環境上の特徴を有するゾーンの組の１つに対応する地理的ロケーションとして提供される携帯電子機器。
【請求項８】
携帯電子機器とともに使用するためのロケーションベースのメディアランキングを生成する方法であって、
前記携帯電子機器に格納された複数のメディアファイルのメディアランキングを提供するステップ、
前記メディアランキングを前記携帯電子機器のロケーションに関係付けることに基づいて、前記携帯電子機器に格納された前記複数のメディアファイルのメディア・ロケーション・ランキングを生成するステップ、及び
再生ロケーションに基づく再生上の考慮点について前記メディア・ロケーション・ランキングからメディアファイルを選択するステップ
からなる方法。
【請求項９】
請求項８記載の方法であって、さらに、前記再生ロケーションでのメディアファイルの再生優先順位に基づいて前記メディア・ロケーション・ランキングを更新するステップからなり、前記選択するステップ及び前記更新するステップが自動で実現される方法。
【請求項１０】
通信システムであって、
（ｉ）セルラーグリッドを使用する移動通信ネットワーク、並びに
（ii）前記セルラーグリッドに連結された携帯通信機器であって、
前記携帯通信機器に格納された複数のメディアファイルのメディアランキングを提供するメディアランキングユニット、
前記メディアランキングユニットに連結され、前記メディアランキングを前記携帯電子機器のロケーションに関係付けることに基づいて、前記携帯通信機器に格納された前記複数のメディアファイルのメディア・ロケーション・ランキングを生成するロケーション関係付けユニット、
前記ロケーション関係付けユニットに連結され、再生ロケーションに基づく再生上の考慮点について前記メディア・ロケーション・ランキングからメディアファイルを選択するメディア再生ユニット、及び
前記メディア再生ユニットに連結され、前記再生ロケーションでのメディアファイルの再生優先順位に基づいて前記メディア・ロケーション・ランキングを更新するランキング更新ユニット
を含む、前記携帯通信機器に連結されたメディア・ロケーション・ランカを含む携帯通信機器
からなる通信システム。
【国際調査報告】
2010505291.tif 000009
2010505291.tif 000010